(57)【要約】【課題】車両のユーザに効果的に情報を提示する技術を提供する。【解決手段】情報処理装置は、車両のユーザに提示する提示情報を、車両に設けられた窓の車内側または車外側に表示することと、ユーザから受け付けた指示に応じて、窓の車内側に表示された提示情報の表示と非表示とを切り替えることと、車両が特定の場所に位置する場合に、提示情報を窓の車外側に表示することと、を実行する制御部を備える。【選択図】図３
2020016771.tif 000002
【特許請求の範囲】
【請求項１】
車両のユーザに提示する提示情報を、前記車両に設けられた窓の車内側または車外側に表示することと、
前記ユーザから受け付けた指示に応じて、前記窓の車内側に表示された前記提示情報の表示と非表示とを切り替えることと、
前記車両が特定の場所に位置する場合に、前記提示情報を前記窓の車外側に表示することと、
を実行する制御部を備える、情報処理装置。
【請求項２】
前記制御部は、前記車両が前記特定の場所から離れた場合に、前記提示情報を前記窓の車内側に表示する、
請求項１に記載の情報処理装置。
【請求項３】
前記制御部は、前記窓に隣接する座席に前記ユーザが座っているか否かに応じて、前記提示情報の表示と非表示とを切り替える、
請求項１または２に記載の情報処理装置。
【請求項４】
前記制御部は、前記窓に隣接する座席に前記ユーザが座っている場合に、前記ユーザの属性に応じて、前記提示情報の内容を変更する、
請求項３に記載の情報処理装置。
【請求項５】
前記窓は、透明ディスプレイである、
請求項１から４のいずれか１項に記載の情報処理装置。
【請求項６】
前記窓は、電圧の印加によって透明度が変化し、不透明な状態で、プロジェクタから投影される前記提示情報を表示する、
請求項１から４のいずれか１項に記載の情報処理装置。
【請求項７】
車両のユーザに提示する提示情報を、前記車両に設けられた窓の車内側または車外側に表示することと、
前記ユーザから受け付けた指示に応じて、前記窓の車内側に表示された前記提示情報の表示と非表示とを切り替えることと、
前記車両が特定の場所に位置する場合に、前記提示情報を前記窓の車外側に表示することと、
を含む、情報処理方法。
【請求項８】
車両のユーザに提示する提示情報を、前記車両に設けられた窓の車内側または車外側に表示することと、
前記ユーザから受け付けた指示に応じて、前記窓の車内側に表示された前記提示情報の表示と非表示とを切り替えることと、
前記車両が特定の場所に位置する場合に、前記提示情報を前記窓の車外側に表示することと、
をコンピュータに実行させるプログラム。
【発明の詳細な説明】
【技術分野】
【０００１】
本発明は、情報処理装置、情報処理方法およびプログラムに関する。
【背景技術】
【０００２】
近年、バスまたは電車のような移動手段（車両）は、様々な形態で広告に利用されている。例えば、特許文献１は、列車の窓部を広告領域として利用する広告システムを開示する。特許文献１では、トンネル区間とされた場合に表示装置に広告表示を行い、トンネル区間以外とされた場合に表示装置を透明とする。
【先行技術文献】
【特許文献】
【０００３】
【特許文献１】特開２００９−０１４９５４号公報
【発明の概要】
【発明が解決しようとする課題】
【０００４】
本発明は、車両のユーザに効果的に情報を提示する技術を提供することを目的とする。
【課題を解決するための手段】
【０００５】
本発明の第１の態様は、
車両のユーザに提示する提示情報を、前記車両に設けられた窓の車内側または車外側に表示することと、
前記ユーザから受け付けた指示に応じて、前記窓の車内側に表示された前記提示情報の表示と非表示とを切り替えることと、
前記車両が特定の場所に位置する場合に、前記提示情報を前記窓の車外側に表示することと、
を実行する制御部を備える、情報処理装置である。
【０００６】
本発明の第２の態様は、
車両のユーザに提示する提示情報を、前記車両に設けられた窓の車内側または車外側に表示することと、
前記ユーザから受け付けた指示に応じて、前記窓の車内側に表示された前記提示情報の表示と非表示とを切り替えることと、
前記車両が特定の場所に位置する場合に、前記提示情報を前記窓の車外側に表示することと、
を含む、情報処理方法である。
【０００７】
本発明の第３の態様は、
車両のユーザに提示する提示情報を、前記車両に設けられた窓の車内側または車外側に表示することと、
前記ユーザから受け付けた指示に応じて、前記窓の車内側に表示された前記提示情報の表示と非表示とを切り替えることと、
前記車両が特定の場所に位置する場合に、前記提示情報を前記窓の車外側に表示することと、
をコンピュータに実行させるプログラム、または、該プログラムを非一時的に記憶したコンピュータ可読記憶媒体である。
【発明の効果】
【０００８】
本発明によれば、車両のユーザに効果的に情報を提示する技術を提供することができる。
【図面の簡単な説明】
【０００９】
【図１】情報提示システムの概略構成を示す図である。
【図２】情報処理装置の機能構成を例示する図である。
【図３】表示制御処理の流れを例示するフローチャートである。
【図４】提示情報テーブルを例示する図である。
【図５】変形例２に係る提示情報表示処理の流れを例示するフローチャートである。
【図６】変形例２に係る提示情報テーブルを例示する図である。
【発明を実施するための形態】
【００１０】
車両の窓は、車外の光を取り入れ、ユーザが車外を見るために設けられているため、広告媒体としての利用は進んでいない。トンネル内のように、車外からの光が差し込まない間、窓を広告領域として利用する技術が提案されている（特許文献１）。しかしながら、車両がトンネル内を走行する時間は限られており、車両の窓は、広告を含む情報の提示媒体として有効に活用されていない。
【００１１】
上記を考慮して、本実施形態は、車両に設けられた窓の車内側に表示された提示情報の表示と非表示とを、ユーザから受け付けた指示に応じて切り替え、車両が特定の場所に位置する場合に、提示情報を窓の車外側に表示する情報処理装置（コンピュータ）を提供する。
【００１２】
情報処理装置は、車両のユーザに提示する提示情報を、車両に設けられた窓の車内側または車外側に表示する。本実施形態において、車両は、バスまたは電車のような移動手段に限られず、ユーザが移動中に窓を見ることが想定される移動手段であればよい。車両は、例えば、飛行機または船舶等の移動手段を含んでもよい。
【００１３】
提示情報は、飲食店、娯楽施設等の広告の他、交通情報、観光情報、天気、施設の混雑状況といった各種情報を含むことができる。提示情報を表示する窓は、例えば、透明ディスプレイとすることができる。また、飛行機等で採用される電子カーテンのように、電圧の印加により透明度が変化する窓が用いられてもよい。透明度が変化する窓は、不透明な状態で、プロジェクタから画像を投影することにより、ユーザに対して情報の提示が可能である。
【００１４】
また、情報処理装置は、ユーザから受け付けた指示に応じて、窓の車内側に表示された提示情報の表示と非表示とを切り替える。ユーザからの指示は、例えば、座席の周囲に設けられた操作ボタンにより受け付けることができる。情報処理装置は、操作ボタンによるユーザの指示を受信する。操作ボタンから、提示情報を非表示とする指示を受信した場合、情報処理装置は、提示情報の表示を中断する。操作ボタンから、提示情報を表示する指示を受信した場合、情報処理装置は、提示情報を表示する。
【００１５】
また、情報処理装置は、車両が特定の場所に位置する場合に、提示情報を窓の車外側に表示する。特定の場所は、車両を利用しようとするユーザが車外にいる場所であって、例えば、列車の駅、バス停が挙げられる。車両が特定の場所に位置する場合は、車両が特定の場所に停止している場合を含むが、これに限られない。車両が特定の場所に位置する場合は、ユーザが車外側から窓を見ることができればよく、特定の場所において、車両が停止するために減速している場合、または出発するために加速している場合を含んでもよい。車外側に表示される情報は、車内側からも見られるようにしてもよい。また、車外側に表示される情報は、複数の窓、または車両が備えるすべての窓にまたがって、一連の情報
を提示するものであってもよい。
【００１６】
本実施形態によれば、情報処理装置は、車両に設けられた窓の車内側または車外側に、車両のユーザに提示する提示情報を表示することができる。情報処理装置は、ユーザから受け付けた指示に応じて、窓の車内側に表示された提示情報の表示と非表示とを切り替えるため、ユーザが情報を見ようとする場合に、効果的に情報を提示することができる。また、情報処理装置は、車両が特定の場所に位置する場合に、窓の車外側に提示情報を表示するため、車外のユーザに対しても効果的に情報を提示することができる。
【００１７】
＜実施形態＞
（システム概要）
図１は、本実施形態に係る情報提示システムの概略構成を示す図である。図１の例では、情報提示システムは情報処理装置１を含み、情報処理装置１は、車両２の各座席に設けられた窓２１への表示を制御する。情報処理装置１は、例えば、車両２内に設置され、各座席に設けられた窓２１、操作パネル２２およびセンサ２３と、ネットワークＮを介して接続される。なお、本実施形態では、車両２は、各座席に対応する窓が設けられていることが想定されるが、これに限られない。車両２は、バスまたは近距離列車のように、複数の座席にまたがって窓２１がもうけられている場合であっても、車内側での表示の中断および車内側と車外側との表示の切り替えを制御することは可能である。
【００１８】
窓２１は、例えば、透明ディスプレイまたは電圧の印加による透明度が変化する窓とすることができる。窓２１は、情報処理装置１から受信した情報を表示する。窓２１は、ネットワークＮを介して情報処理装置１に接続されるプロジェクタによって、提示情報が投影されるようにしてもよい。
【００１９】
操作パネル２２は、ユーザから窓２１の表示を切り替えるための指示を受け付け、指示の内容を情報処理装置１に通知する。操作パネル２２は、窓２１の周囲に設けられても良く、ユーザが手元で操作可能なリモートコントローラであってもよい。また、操作パネル２２は、ボタン入力の他、ジェスチャ入力または音声入力を受け付けるインタフェースを備えるものであってもよい。
【００２０】
センサ２３は、座席にユーザが座っているか否かを判定したり、またはユーザの性別または年齢等の属性を取得したりするために用いられる。センサ２３は、例えば、人感センサ、カメラである。センサ２３としてカメラを用いた場合、情報処理装置１は、窓２１側からの撮像画像を解析することにより、窓２１に隣接する座席ユーザが座っているか否か、または、車両２内にユーザが乗っているか否かを判定することができる。また、情報処理装置１は、撮像画像内で検出したユーザの特徴を解析することにより、ユーザの属性を取得することが可能である。センサ２３は、所定の時間間隔で、周辺に存在するユーザを検出し、検出によって得られた情報を情報処理装置１に送信することができる。
【００２１】
ネットワークＮは、例えば、インターネット等の世界規模の公衆通信網でありＷＡＮ（Ｗｉｄｅ  Ａｒｅａ  Ｎｅｔｗｏｒｋ）やその他の通信網が採用されてもよい。また、ネットワークＮは、携帯電話等の電話通信網、ＷｉＦｉ等の無線通信網を含んでもよい。
【００２２】
（装置構成）
情報処理装置１は、コンピュータやワークステーション等によって構成される。情報処理装置１は、車両２に設けられた窓２１に対する表示を制御するために、車両２内に設置されるコンピュータであってもよい。かかるコンピュータは、ＣＰＵやＤＳＰ等のプロセッサ１１、読み込み専用メモリ（ＲＯＭ）、ランダムアクセスメモリ（ＲＡＭ）等の主記憶部１２、ＥＰＲＯＭ、ハードディスクドライブ（ＨＤＤ）、リムーバブルメディア等の
補助記憶部１３、操作パネル２２、センサ２３、プロジェクタ等の窓２１への表示を制御する装置あるいはその他の装置と通信するための通信部１４を有する。
【００２３】
なお、補助記憶部１３には、オペレーティングシステム（ＯＳ）、各種プログラム、各種テーブル等が格納され、そこに格納されたプログラムを主記憶部１２の作業領域にロードして実行し、プログラムの実行を通じて各構成部等が制御されることによって、後述するような、所定の目的に果たす各機能部を実現することができる。ただし、一部または全部の機能部はＡＳＩＣやＦＰＧＡのようなハードウェア回路によって実現されてもよい。ただし、情報処理装置１は単一の物理的構成によって実現される場合に限られず、互いに連携する複数台のコンピュータによって構成されてもよい。
【００２４】
（機能構成）
図２は、情報処理装置の機能構成を例示する図である。情報処理装置１は、プロセッサ１１が、補助記憶部１３に記憶されたプログラムを主記憶部１２にロードして実行することによって、図２に示す機能を実現する。すなわち、情報処理装置１は、表示部１０１、切替部１０２、提示情報データベース（ＤＢ）１１１を含む。提示情報データベース１１１は、プロセッサ１１によって実行されるデータベース管理システムのプログラムが、補助記憶部１３に記憶されるデータを管理することで構築される。提示情報データベース１１１は、例えば、リレーショナルデータベースである。これらの機能部の詳細については、以下でフローチャートを参照しながら詳細に説明する。また、プログラムを実行してこれらの機能を実現するプロセッサ１１が、本発明における「制御部」に相当する。
【００２５】
（表示制御処理）
図３は、表示制御処理の流れを例示するフローチャートである。図３に示す表示制御処理は、例えば、車両２がユーザを乗車させて運行を開始したことを契機として開始される。
【００２６】
ステップＳ１１において、表示部１０１は、乗車中のユーザに提示する提示情報を取得し、窓２１の車内側に表示する。表示部１０１は、提示情報を提示情報データベース１１１から取得することができる。表示部１０１は、所定の時間間隔で提示情報を取得するようにしてもよい。また、表示部１０１は、車両２が所定の距離を走行するごとに提示情報を取得するようにしてもよい。
【００２７】
ここで、図４により、提示情報データベース１１１に格納される提示情報について説明する。図４は、提示情報テーブルを例示する図である。提示情報テーブルは、提示対象ごとに、車両２の窓２１に表示する提示情報を管理するためのテーブルである。提示情報テーブルは、提示対象、表示対象駅、提示情報のフィールドを有する。
【００２８】
提示対象フィールドは、情報の提示対象となる飲食店、娯楽施設、宿泊施設、医療機関、地方公共団体等を格納する。表示対象駅フィールドは、提示対象の最寄駅を格納する。表示部１０１は、例えば、表示対象駅に到着するまでの間、当該提示対象に関する提示情報を取得して、窓２１に表示するようにすればよい。複数の提示情報が取得された場合、表示部１０１は、例えば、所定の時間ごとに、各提示情報を切り替えて表示することができる。
【００２９】
提示情報フィールドは、提示対象に関する提示情報を格納する。提示情報は、例えば、飲食店、娯楽施設、宿泊施設の広告情報、医療機関の情報、公共機関の紹介、表示対象駅の地域の気象情報等を含むことができる。図４の例では、提示情報フィールドは、提示対象ごとの動画データを格納するが、動画に限られない。提示情報として静止画像を格納するフィールドが追加されてもよい。この場合、提示情報が表示される時間に応じて、動画
を表示するか、静止画像を表示するかが切り替えられてもよい。また、提示情報として、車内側に表示する提示情報および車外側に表示する提示情報を、それぞれ別に格納するフィールドが追加されてもよい。
【００３０】
なお、表示部１０１は、提示情報を提供する外部のサーバから、インターネット等のネットワークを介して、提示情報を取得してもよい。この場合、表示部１０１は、所定のタイミングで外部のサーバに提示情報を要求してもよく、外部のサーバから定期的に配信される提示情報を受信するようにしてもよい。
【００３１】
ステップＳ１２において、切替部１０２は、ユーザから車内側に表示した提示情報を非表示にする旨の指示があったか否かを判定する。ユーザは、操作パネル２２の操作により、提示情報を非表示にするように指示することができる。提示情報を非表示にする旨の指示があったと判定した場合（Ｓ１２：Ｙｅｓ）、処理はステップＳ１３へ進む。提示情報を非表示にする旨の指示がないと判定した場合（Ｓ１２：Ｎｏ）、処理はステップＳ１６へ進む。ステップＳ１３において、切替部１０２は、窓２１の車内側に表示中の提示情報の表示を中断する。
【００３２】
ステップＳ１４において、切替部１０２は、ユーザから、ステップＳ１３で表示を中断した提示情報を再び表示する旨の指示が有ったか否かを判定する。ユーザは、操作パネル２２の操作により、提示情報を表示するように指示することができる。提示情報を表示する旨の指示があったと判定した場合（Ｓ１４：Ｙｅｓ）、処理はステップＳ１５へ進む。提示情報を表示する旨の指示がないと判定した場合（Ｓ１４：Ｎｏ）、処理はステップＳ１６へ進む。ステップＳ１５において、切替部１０２は、窓２１の車内側に、表示を中断していた提示情報を表示する。
【００３３】
ステップＳ１６において、切替部１０２は、車両２が特定の場所に位置するか否かを判定する。特定の場所は、車両２の窓２１を車外側から見られる位置にユーザがいる場所が想定される。例えば、特定の場所は、列車の駅、バス停が挙げられる。また、特定の場所は、バスが赤信号で停止している場所であってもよい。この場合、切替部１０２は、車両２が停止したこと、または車両２の速度が所定の閾値以下となったことを検知することにより、車両２が特定の場所に位置すると判定することができる。
【００３４】
また、特定の場所は、補助記憶部１３に構築されたデータベースに、予め格納しておいてもよい。例えば、特定の場所は、ＧＰＳ（Global Positioning System）による位置情
報として登録しておくことができる。切替部１０２は、所定の間隔で車両２の現在位置を取得し、現在位置と特定の場所との距離が所定の範囲以下となった場合に、車両２が特定の場所に位置すると判定することができる。なお、切替部１０２は、車両２が有するＧＰＳ装置から、車両２の現在位置を取得することができる。
【００３５】
車両２が特定の場所に位置すると判定した場合（Ｓ１６：Ｙｅｓ）、処理はステップＳ１７へ進む。車両２が特定の場所に位置しないと判定した場合（Ｓ１６：Ｎｏ）、処理はステップＳ１２に戻る。なお、提示情報が窓２１に表示されていない場合には、処理はステップＳ１４に戻ってもよい。
【００３６】
ステップＳ１７において、表示部１０１は、車外のユーザに提示する提示情報を、窓２１の車外側に表示する。表示部１０１は、車内側に表示していた提示情報を、そのまま車外側に表示してもよい。また、表示部１０１は、提示情報データベース１１１から、窓２１の車外側に表示するための提示情報を取得して表示するようにしてもよい。
【００３７】
ステップＳ１８において、切替部１０２は、車両２が特定の場所を出発したか否かを判
定する。切替部１０２は、例えば、停止中の車両２が動き出したこと、または車両２の速度が所定の閾値以上となったことを検知することにより、車両２が特定の場所を出発したと判定することができる。
【００３８】
また、特定の場所が、補助記憶部１３にＧＰＳによる位置情報として格納されている場合、切替部１０２は、所定の間隔で車両２の現在位置を取得し、現在位置と特定の場所との距離が所定の範囲より大きくなった場合に、車両２が特定の場所を出発したと判定することができる。
【００３９】
車両２が特定の場所を出発したと判定した場合（Ｓ１８：Ｙｅｓ）、処理はステップＳ１１に戻る。車両２が特定の場所を出発していないと判定した場合（Ｓ１８：Ｎｏ）、ステップＳ１８の処理が所定の間隔で繰り返される。
【００４０】
なお、図３の例では、各窓２１に同じ提示情報を表示する例により説明したが、表示部１０１は、車内側または車外側の複数の窓、または車両が備えるすべての窓にまたがって、一連の情報を表示するようにしてもよい。さらに、表示部１０１は、提示情報をプロジェクションマッピングにより、車内全体に表示してもよい。
【００４１】
（作用効果）
本実施形態によれば、情報処理装置１は、車両２に設けられた窓２１の車内側または車外側に、各種の提示情報を表示することができる。情報処理装置１は、ユーザからの指示で、窓２１の車内側に表示された提示情報の表示と非表示とを切り替えることができる。このため、情報処理装置１は、情報収集を希望するユーザに効果的に情報を提示することができる。また、情報処理装置１は、車両２が特定の場所に位置する場合に、窓２１の車外側に提示情報を表示することができる。したがって、情報処理装置１は、車外のユーザに対しても効果的に情報を提示することが可能である。
【００４２】
（変形例１）
第１実施形態において、情報処理装置１は、窓２１の車内側に提示情報を表示し、例えば、操作パネル２２によって受け付けたユーザからの指示に応じて、提示情報の表示と非表示とを切り替える。変形例１では、さらに、情報処理装置１は、窓２１に隣接する座席にユーザが座っているか否かに応じて、提示情報の表示と非表示とを切り替える。
【００４３】
変形例１において、切替部１０２は、センサ２３によって検出されたユーザの情報を受信し、窓２１に隣接する座席にユーザが座っているか否かを判定する。例えば、切替部１０２は、座席の撮像画像を受信し、撮像画像においてユーザが検出されるか否かによって、座席にユーザが座っているか否かを判定することができる。また、切替部１０２は、センサが、ユーザの視線を検知したか否かの情報を受信することにより、座席にユーザが座っているか否かを判定することも可能である。なお、窓２１に隣接する座席は、１つの座席に限られず、センサ２３によって検出可能な複数の座席を含んでもよい。
【００４４】
切替部１０２は、窓２１に隣接する座席にユーザが座っていないと判定した場合、窓２１の車内側の表示を中断する。一方、窓２１に隣接する座席にユーザが座っていると判定した場合、切替部１０２は、提示情報が窓２１の車内側に表示されるように切り替える。ただし、ユーザが、窓２１への表示をしない旨の指示をしている場合には、切替部１０２は、提示情報を非表示のままとしてもよい。
【００４５】
変形例１では、窓２１に隣接する座席にユーザが座っているか否かに応じて、提示情報の表示、非表示が切り替えられるため、無駄な電力を抑制することができる。
【００４６】
（変形例２）
第１実施形態および変形例１において、情報処理装置１は、各窓２１に同じ内容の提示情報を表示する。これに対し、変形例２では、窓２１に隣接する座席に座っているユーザの属性に応じて、各窓２１に表示する提示情報の内容を変更する。図３に示す第１実施形態の表示制御処理において、変形例２に係る表示制御処理は、窓２１の車内側に提示情報を表示するステップＳ１１の処理が異なる。図５および図６により、ユーザの属性に応じた提示情報を、窓２１の車内側に表示する提示情報表示処理を説明する。
【００４７】
図５は、変形例２に係る提示情報表示処理の流れを例示するフローチャートである。図５に示す提示情報表示処理は、例えば、センサ２３によって窓２１に隣接する座席にユーザが座っていることが検出されたことを契機として開始される。
【００４８】
ステップＳ２１において、表示部１０１は、センサ２３から受信した情報に基づいて、ユーザの属性を取得する。表示部１０１は、例えば、センサ２３によって撮像されたユーザの撮像画像から、ユーザの座高、顔の骨格等の解析データを取得する。表示部１０１は、これらの解析データを、ユーザ属性（例えば、年齢および性別）と解析データとを紐付けて蓄積したデータベースを参照し、比較することで、ユーザの属性を推定することができる。
【００４９】
ステップＳ２２において、表示部１０１は、ステップＳ２１で取得したユーザの属性に応じた提示情報を取得する。ここで、図６により、ユーザの属性に応じた提示情報について説明する。
【００５０】
図６は、変形例２に係る提示情報テーブルを例示する図である。図６に示す例では、提示情報テーブルは、図４に示す提示情報テーブルに加え、性別、年齢、同乗者についてのユーザ属性を格納するフィールドを有する。
【００５１】
性別フィールドは、提示対象となるユーザの性別を格納する。図６の例では、表示部１０１は、ステップＳ２１において座席に座っているユーザが女性と判定された場合に、性別フィールドが「女」または「−」（性別の条件指定なし）のレコードの提示情報を表示することができる。
【００５２】
年齢フィールドは、提示対象となるユーザの年齢（の範囲）を格納する。図６の例では、年齢フィールドに格納される属性は、具体的な年齢の範囲に代えて、子供（例えば、２０歳未満）、成人（例えば、２０歳以上６５歳未満）、高齢者（例えば、６５歳以上）のように定義される。表示部１０１は、例えば、ステップＳ２１において座席に座っているユーザが高齢者と判定された場合に、年齢フィールドが「高齢者」のレコードの提示情報、即ち「Ｂ３医院」の提示情報を表示することができる。
【００５３】
同乗者フィールドは、提示対象ユーザに同乗者がいるか否かを格納する。図６の例では、表示部１０１は、ステップＳ２１において、座席に座っているユーザが子供で同乗者がいると判定された場合に、年齢フィールドが「子供」で同乗者フィールドが「有」のレコードの提示情報、即ち「Ａ２水族館」の提示情報を表示することができる。なお、同乗者の有無は、センサ２３（カメラ）による撮像画像において、複数のユーザが検出されたか否かによって判定可能である。
【００５４】
提示対象「Ａ２水族館」のように、年齢が「子供」、同乗者が「有」となっているレコードの提示情報は、家族連れに提示することが想定される。このように、ユーザ属性は、家族連れ、夫婦、友人同士といった複数人のグループの属性を含むものであってもよい。この場合、ユーザ属性は、図６の例に限られず、同乗者の人数、各同乗者の性別および年
齢のように、グループの属性を判定するため情報を格納するフィールドを有してもよい。
【００５５】
表示部１０１は、ステップＳ２２において、図６に示す提示情報テーブルから、ユーザ属性に応じた提示情報を取得する。表示部１０１は、ステップＳ２１で取得したユーザの属性のうち、少なくとも１つの属性が、図６に示すユーザ属性と合致するレコードの提示情報を取得すればよい。また、表示部１０１は、ユーザに提示する提示情報の数を絞り込むため、ステップＳ２１で取得したユーザ属性が、いずれも図６に示すユーザ属性と合致するレコードの提示情報を、提示情報テーブルから取得するようにしてもよい。
【００５６】
ステップＳ２３において、表示部１０１は、ステップＳ２２で取得した提示情報を、窓２１の車内側に表示する。表示部１０１は、ステップＳ２１で取得したユーザの属性と、より多くのユーザ属性が合致するレコードの提示情報を優先して表示するようにしてもよい。また、表示部１０１は、ステップＳ２１で取得したユーザの属性と、提示情報テーブルの各レコードにおけるユーザ属性との合致度に応じて、提示情報の表示時間を変更してもよい。即ち、表示部１０１は、ステップＳ２１で取得したユーザの属性と、より多くのユーザ属性が合致するレコードの提示情報を、より長く窓２１に表示するようにしてもよい。
【００５７】
変形例２では、情報処理装置１は、ユーザの属性に応じて、提示情報の内容を変更する。また、情報処理装置１は、ユーザおよび同乗者の属性に応じて、提示情報の内容を変更することも可能である。したがって、情報処理装置１は、ユーザおよび同乗者に対し、効果的に情報を提示することができる。
【００５８】
＜その他の実施形態＞
上記の実施形態はあくまでも一例であって、本発明はその要旨を逸脱しない範囲内で適宜変更して実施しうる。
【００５９】
また、本開示において説明した構成や処理は、技術的な矛盾が生じない限りにおいて、自由に組み合わせて実施することができる。
【００６０】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００６１】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００６２】
１：情報処理装置    １１：プロセッサ    １２：主記憶部
１３：補助記憶部    １４：通信部
１０１：表示部    １０２：切替部    １１１：提示情報データベース
２：車両    ２１：窓    ２２：操作パネル    ２３：センサ
【図１】
2020016771.tif 000003
【図２】
2020016771.tif 000004
【図３】
2020016771.tif 000005
【図４】
2020016771.tif 000006
【図５】
2020016771.tif 000007
【図６】
2020016771.tif 000008